(57)【要約】【課題】  プラグの長さに応じてプラグの抜け止め位置を簡単に調整でき、かつプラグの抜け止め効果が高いものとすることができ、さらに、器機側への取付け、取外しをワンタッチで簡単に行うことができるプラグの抜け止め具を提供すること。【解決手段】  筒状本体１１と、筒状本体１１の前部開口面側に連結されるカバー体２１、３１とを含み、カバー体２１、３１が、プラグの背面部を支持しコード挿通部２４、３４を有する支持部２２、３２と、支持部２２、３２の両側から筒状本体１１側に向かって延設され、その外側面に複数の係止部２６、３６が形成された連結片２３、３３とを備え、筒状本体１１が、第１の対向面の各後端部から延設された器機側に係止される第１の係止片１２、１２と、第２の対向面の各外側面に、カバー体２１、３１の引き抜き方向への動きを規制するように連結片２３、３３の係止部２６、３６を係止させる係止手段１４Ａ、１４Ｂとを装備する。【選択図】  図１
2006202630.tif 000002
【特許請求の範囲】
【請求項１】
筒状本体と、該筒状本体の前部開口面側に連結されるカバー体とを含み、
該カバー体が、プラグの背面部を支持しコード挿通部を有する支持部と、該支持部の両
側から前記筒状本体側に向かって延設され、その外側面に複数の係止部が形成された連結
片とを備え、
前記筒状本体が、第１の対向面の各後端部から延設された器機側に係止される第１の係
止片と、第２の対向面の各外側面に、前記カバー体の引き抜き方向への動きを規制するよ
うに前記連結片の係止部を係止させる係止手段とを備えていることを特徴とするプラグの
抜け止め具。
【請求項２】
前記第１の係止片の内側面が、後方外側に向かって傾斜していることを特徴とする請求
項１記載のプラグの抜け止め具。
【請求項３】
前記カバー体の連結片に形成された複数の前記係止部が、長手方向に横設されたもので
あり、
前記筒状本体の係止手段が、前記連結片を挿通させる挿通部と、該挿通部から前記連結
片の挿通方向に延設され、前記挿通部への前記連結片の挿入を許容する一方、前記引き抜
き方向への動きを規制する爪部を内側に有する第２の係止片とを含んで構成されているこ
とを特徴とする請求項１又は請求項２記載のプラグの抜け止め具。
【請求項４】
前記連結片に横設された各係止部の間隔が、器機に差し込まれたプラグの遊び間隔より
も小さくなるように設定されていることを特徴とする請求項３記載のプラグの抜け止め具
。
【請求項５】
前記第２の係止片の先端部が、前記挿通部の前記本体からの張り出し高さよりも高くな
るように形成されていることを特徴とする請求項３又は請求項４記載のプラグの抜け止め
具。
【請求項６】
前記挿通部が形成された前記筒状本体の側面に、前記挿通部から挿入された前記連結片
の幅方向の動きを規制する壁部が形成されていることを特徴とする請求項３〜５のいずれ
かの項に記載のプラグの抜け止め具。
【請求項７】
前記第１の係止片の先端部に爪部が形成され、該爪部の内角が鋭角に形成されているこ
とを特徴とする請求項１〜６のいずれかの項に記載のプラグの抜け止め具。
【請求項８】
前記支持部の両側に突起部が形成されていることを特徴とする請求項１〜７のいずれか
の項に記載のプラグの抜け止め具。
【請求項９】
前記筒状本体の前記第２の対向面が、複数個のプラグを重ねて挿入可能な高さに形成さ
れ、前記第２の対向面の各外側面に、前記複数個のプラグに対応した数の前記係止手段を
備え、
前記筒状本体の前部開口面側に前記複数個のプラグに対応した数の前記カバー体が連結
されることを特徴とする請求項１〜８のいずれかの項に記載のプラグの抜け止め具。    
【請求項１０】
請求項１〜９のいずれかの項に記載のプラグの抜け止め具が使用され、
プラグの差し込み口が形成された器機の筐体に、前記プラグの抜け止め具を構成する前
記筒状本体の前記第１の係止片を挿入するための挿入部が形成され、該挿入部の内側に前
記第１の係止片を係止させる引っ掛け部を備え、
前記筒状本体の後端部の所定箇所を前記筐体に当接させた状態で、前記第１の係止片が
前記引っ掛け部に係止されることを特徴とするプラグの抜け止め機構。
【請求項１１】
前記第１の係止片が前記引っ掛け部に係止された状態で、前記第１の係止片から前記引
っ掛け部に該引っ掛け部を押し広げようとする押圧力が作用するように、前記引っ掛け部
の配設位置が設定されていることを特徴とする請求項１０記載のプラグの抜け止め機構。
【発明の詳細な説明】
【技術分野】
【０００１】
本発明はプラグの抜け止め具、及びプラグの抜け止め機構に関し、より詳細には、ＵＳ
Ｂ（Ｕniversal  Ｓerial   Ｂus）コネクタ等を構成するプラグの抜け止め具、及びプラ
グの抜け止め機構に関する。
【背景技術】
【０００２】
図６は従来のこの種のプラグの抜け止め具の一例として、下記の特許文献１に記載のプ
ラグの抜け止めカバ−を示すもので、プラグを器機側に差し込んだ状態のプラグの周辺部
分を示す斜視図である。
【０００３】
図中７０は抜け止めカバ−を示しており、抜け止めカバ−７０は器機側に取付ける器機
取付け部７１、蝶番固定側７２、蝶番可動側７３、蝶番軸７４、蝶番バネ７５、切り起こ
し７６、プラグ係止部７７を含んで構成されている。プラグ７９を器機側に差し込む際に
は、蝶番バネ７５のばね力を利用して蝶番可動側７３を上方に回動させておき、プラグ７
９を器機側に差し込んだ後、蝶番可動側７３を下方に回動させてプラグ係止部７７をプラ
グ７９の背面に係止させてプラグ７９の抜けを防止するようになっている。
【０００４】
また、抜け止めカバー７０は、蝶番可動側７３に調整ネジ７８でプラグ係止部７７を固
定するように構成されており、プラグ７９の差し込みプラグカバー７９ａの引っ掛け部位
置が異なるものには、プラグ係止部７７の位置を調整ネジ７８で調整して抜け止めが行え
るようになっている。
【０００５】
また、図７、８は従来のこの種のプラグの抜け止め具の一例として、本願発明者が先に
出願した下記の特許文献２に記載のプラグの抜け止め具を示した図であり、図７は斜視図
、図８は、プラグの抜け止め具を使用してＵＳＢプラグを器機側のＵＳＢコネクタに差し
込んだ状態を示す部分断面側面図である。
【０００６】
図中８０はプラグの抜け止め具を示しており、プラグの抜け止め具８０はステンレス製
薄板で形成されており、全体的に弾性を有している。プラグの抜け止め具８０は平面視Ｔ
字形状の本体８１を有しており、本体８１の前部両側からは湾曲部８２、８２を介して押
え片８３、８３が延設されており、押え片８３はそれぞれ内側に屈曲した屈曲部８３ａを
有し、屈曲部８３ａの中央部には食込み孔８３ｂが形成されている。また、本体８１の後
端部からは斜め前方上側に向って正面視略矩形形状をした引っ掛け部８４が延設されてい
る。
【０００７】
上記プラグの抜け止め具８０によれば、湾曲部８２でＵＳＢプラグ９０の両側面を適切
な力で押えることができ、屈曲部８３ａに形成された食込み孔８３ｂにより押え片８３に
よるＵＳＢプラグ９０の押え込み状態をより適切なものとすることができ、また引っ掛け
部８４で器機側に適切な力で引っ掛けておくことができ、少しの力がケ−ブル９１に作用
しただけではＵＳＢプラグ９０がＵＳＢコネクタ９２から外れることがないけれども、大
きな力がケ−ブル９１に作用した場合にはＵＳＢプラグ９０がＵＳＢコネクタ９２から外
れるものとすることができる。
【０００８】
また、ＵＳＢプラグ９０のプラグ長さに寸法を合わせる必要がなく、しかも押え片８３
が湾曲部８２を介して延設されているので、汎用性を持たせることができ、また単部品で
構成されているので、安価で、寸法も小さく、嵩張らず、小さな取付けスペ−スしか必要
とせず、さらには取付けも螺子止め等を必要とせず、取付け、取外しも容易で手間取るこ
とのないものとすることができるとしている。
【０００９】
上記した従来の抜け止めカバ−７０は、プラグの引っ掛け部位置が違うものにも対応で
きるように構成されているが、蝶番可動側７３とプラグ係止部７７とを上下に重ねた部分
を調整ネジ７８により厚さ方向に押え込む方法なので、プラグの引き抜き方向の力に対し
て十分な固定力を得ることが難しく、調整ネジ７８の締め付けが不十分であったり、ある
程度の大きな力がケーブルに作用した場合には、プラグ係止部７７の位置が比較的容易に
ずれてしまいプラグを確実に支持することができないという課題があった。
【００１０】
また、調整ネジ７８などの細かな部品が別途必要になるとともに、調整ねじ７８による
位置調整のためにドライバーなどの工具が必要であり、位置調整が面倒で手間取るといっ
た課題があった。
【００１１】
また、上記した従来のプラグの抜け止め具８０では、大きな力がケ−ブル９１に作用し
た場合にＵＳＢプラグ９０が器機側から外れるように構成することで、器機として、卓上
用のパソコン本体等を損傷させてしまう危険性をなくすことができるというメリットがあ
るものの、台や装置等に固定された器機に対しては、該器機本体の落下等による損傷の危
険性が低いため上記メリットが得られにくく、しかも、押え片８３によりＵＳＢプラグ９
０の幅方向から押え込んでいるだけなので、プラグの引き抜き方向の力に対する保持力が
十分ではなく、ある程度の大きな力がケーブル９１に作用した場合に、ＵＳＢプラグ９０
が器機側から外れてしまうという課題があった。
【特許文献１】特開平９−１４７９８０号公報
【特許文献２】特開２００４−３５６０７９号公報
【発明の開示】
【課題を解決するための手段及びその効果】
【００１２】
本発明は上記課題に鑑みなされたものであって、プラグの長さに応じてプラグの抜け止
め位置を極めて簡単に調整することができ、かつプラグの抜け止め効果が高いものとする
ことができ、さらに、器機側への取付け、取外しを、工具等を必要とせず、ワンタッチで
簡単に行うことができるプラグの抜け止め具、及びプラグの抜け止め機構を提供すること
を目的としている。
【００１３】
上記目的を達成するために本発明に係るプラグの抜け止め具（１）は、筒状本体と、該
筒状本体の前部開口面側に連結されるカバー体とを含み、該カバー体が、プラグの背面部
を支持しコード挿通部を有する支持部と、該支持部の両側から前記筒状本体側に向かって
延設され、その外側面に複数の係止部が形成された連結片とを備え、前記筒状本体が、第
１の対向面の各後端部から延設された器機側に係止される第１の係止片と、第２の対向面
の各外側面に、前記カバー体の引き抜き方向への動きを規制するように前記連結片の係止
部を係止させる係止手段とを備えていることを特徴としている。
【００１４】
上記プラグの抜け止め具（１）によれば、前記筒状本体の第１の対向面の各後端部から
延設された前記第１の係止片により、前記筒状本体をプラグが接続される器機側にしっか
りと取付けることができる。しかも前記筒状本体による撓みを利用することで、前記器機
側への取付け、取外しを手間取ることなく（すなわち、工具を用いることなく）ワンタッ
チで簡単に行うことが可能となる。また、前記カバー体をプラグの長さに合わせて、その
背面部を支持するように、前記筒状本体にワンタッチで簡単に取付けることができ、適用
プラグ寸法に幅を持たせることができ、汎用性が高いものとすることができる。しかも、
前記カバー体の連結片の係止部と、前記筒状本体の係止手段とが、前記カバー体の引き抜
き方向への動きを規制するように係止されるので、前記カバー体が前記筒状本体から外れ
にくく、前記プラグの抜け止め効果を高めることができる。
【００１５】
また本発明に係るプラグの抜け止め具（２）は、上記プラグの抜け止め具（１）におい
て、前記第１の係止片の内側面が、後方外側に向かって傾斜していることを特徴としてい
る。
【００１６】
上記プラグの抜け止め具（２）によれば、前記第１の係止片の内側面が、後方外側に向
かって傾斜しているので、前記筒状本体の器機側への取付け、取外しを行う際に、前記第
１の対向面を挟み込んで前記筒状本体を撓ませたとしても、前記第１の係止片がプラグの
コネクタに干渉するのを防ぐことができ、前記筒状本体の前記器機への取付け、取外しを
一層容易に行うことができる。
【００１７】
また本発明に係るプラグの抜け止め具（３）は、上記プラグの抜け止め具（１）又は（
２）において、前記カバー体の連結片に形成された複数の前記係止部が、長手方向に横設
されたものであり、前記筒状本体の係止手段が、前記連結片を挿通させる挿通部と、該挿
通部から前記連結片の挿通方向に延設され、前記挿通部への前記連結片の挿入を許容する
一方、前記引き抜き方向への動きを規制する爪部を内側に有する第２の係止片とを含んで
構成されていることを特徴としている。
【００１８】
上記プラグの抜け止め具（３）によれば、前記連結片の係止部と前記第２の係止片の爪
部とにより、前記挿通部への前記連結片の挿入は許容される一方、前記引き抜き方向への
動きが規制されるように係止されるので、前記プラグの長さに応じて該プラグの抜け止め
位置を簡単に調整でき、かつ前記プラグの抜け止め効果が高いものとすることができる。
【００１９】
また本発明に係るプラグの抜け止め具（４）は、上記プラグの抜け止め具（３）におい
て、前記連結片に横設された各係止部の間隔が、器機に差し込まれたプラグの遊び間隔よ
りも小さくなるように設定されていることを特徴としている。
【００２０】
上記プラグの抜け止め具（４）によれば、前記連結片に横設された各係止部の間隔が、
前記器機に差し込まれたプラグの遊び間隔よりも小さくなっているので、前記引き抜き方
向へ力が作用した場合でも、前記カバー体が、前記プラグの遊び間隔以上、前記引き抜き
方向へ動くことを阻止することができ、前記プラグとコネクタとの接続状態の信頼性を高
めることができる。
【００２１】
また本発明に係るプラグの抜け止め具（５）は、上記プラグの抜け止め具（３）又は（
４）において、前記第２の係止片の先端部が、前記挿通部の前記筒状本体からの張り出し
高さよりも高くなるように形成されていることを特徴としている。
【００２２】
上記プラグの抜け止め具（５）によれば、前記第２の係止片の先端部に指先等が引っ掛
け易くなっており、前記第２の係止片を、前記爪部と前記連結片との係止状態を解除させ
るための係止解除片としての機能を兼ね備えたものとすることができ、前記筒状本体に係
止された前記カバー体を前記筒状本体から容易に脱離させることができる。
【００２３】
また本発明に係るプラグの抜け止め具（６）は、上記プラグの抜け止め具（３）〜（５
）のいずれかにおいて、前記挿通部が形成された前記筒状本体の側面に、前記挿通部から
挿入された前記連結片の幅方向の動きを規制する壁部が形成されていることを特徴として
いる。
【００２４】
上記プラグの抜け止め具（６）によれば、前記壁部により前記挿通部から挿入された前
記連結片の幅方向の動きが規制されるので、前記連結片と前記第２の係止片との係合状態
をより安定した強固なものにすることができる。
【００２５】
また本発明に係るプラグの抜け止め具（７）は、上記プラグの抜け止め具（１）〜（６
）のいずれかにおいて、前記第１の係止片の先端部に爪部が形成され、該爪部の内角が鋭
角に形成されていることを特徴としている。
【００２６】
上記プラグの抜け止め具（７）によれば、前記第１の係止片に形成された前記爪部の内
角が鋭角に形成されているので、前記第１の係止片の前記爪部を器機側に係止させた際に
、前記引き抜き方向への力が作用した場合でも、前記第１の係止片の爪部を器機側に強固
に係止させることができ、前記第１の係止片の爪部が器機側から外れにくいようにする効
果を高め、前記筒状本体と器機側との係止状態を確実に保持する効果を高めることができ
る。
【００２７】
また本発明に係るプラグの抜け止め具（８）は、上記プラグの抜け止め具（１）〜（７
）のいずれかにおいて、前記支持部の両側に突起部が形成されていることを特徴としてい
る。
【００２８】
上記プラグの抜け止め具（８）によれば、前記突起部により、前記カバー体をしっかり
と指先等で挟むことができ、前記カバー体の前記筒状本体への取付け、取外しを一層容易
に行うことができる。
【００２９】
また本発明に係るプラグの抜け止め具（９）は、上記プラグの抜け止め具（１）〜（８
）のいずれかにおいて、前記筒状本体の前記第２の対向面が、複数個のプラグを重ねて挿
入可能な高さに形成され、前記第２の対向面の各外側面に、前記複数個のプラグに対応し
た数の前記係止手段を備え、前記筒状本体の前部開口面側に前記複数個のプラグに対応し
た数の前記カバー体が連結されることを特徴としている。
【００３０】
上記プラグの抜け止め具（９）によれば、前記筒状本体の前記第２の対向面が、複数個
のプラグを重ねて挿入可能な高さに形成され、前記第２の対向面の各外側面に、前記複数
個のプラグに対応した数の前記係止手段を備え、前記筒状本体の前部開口面側に前記複数
個のプラグに対応した数の前記カバー体が連結されるので、前記複数個以下のプラグであ
れば、一つの前記筒状本体で各プラグの抜け止めを行うことができ、一つの前記筒状本体
で、配列個数が異なるプラグのコネクタに対応させることができる。
【００３１】
また本発明に係るプラグの抜け止め機構（１）は、上記プラグの抜け止め具（１）〜（
９）のいずれかが使用され、プラグの差し込み口を有する器機の筐体に、前記プラグの抜
け止め具を構成する前記筒状本体の前記第１の係止片を挿入するための挿入部が形成され
、該挿入部の内側に前記第１の係止片を係止させる引っ掛け部を備え、前記筒状本体の後
端部の所定箇所を前記筐体に当接させた状態で、前記第１の係止片が前記引っ掛け部に係
止されることを特徴としている。
【００３２】
上記プラグの抜け止め機構（１）によれば、前記筒状本体の後端部の所定箇所を前記筐
体に当接させた状態で、前記第１の係止片が前記引っ掛け部に係止されるので、前記筒状
本体を前記器機側にしっかりと安定した状態となるように取付けることができ、しかも前
記筒状本体の前記器機側への取付け、取外しを手間取ることなくワンタッチで簡単に行う
ことができる。
【００３３】
また本発明に係るプラグの抜け止め機構（２）は、上記プラグの抜け止め機構（１）に
おいて、前記第１の係止片が前記引っ掛け部に係止された状態で、前記第１の係止片から
前記引っ掛け部に該引っ掛け部を押し広げようとする押圧力が作用するように、前記引っ
掛け部の配設位置が設定されていることを特徴としている。
【００３４】
上記プラグの抜け止め機構（２）によれば、前記第１の係止片が前記引っ掛け部に係止
された状態で、前記第１の係止片から前記引っ掛け部に該引っ掛け部を押し広げようとす
る押圧力が作用するので、前記第１の係止片を前記引っ掛け部に食い込ませることができ
、前記器機に取り付けられた前記筒状本体の取付け安定性を高めることができるとともに
、前記第１の係止片と前記引っ掛け部との係止状態をより強固なものにすることができる
。
【発明を実施するための最良の形態】
【００３５】
以下、本発明に係るプラグの抜け止め具、及びプラグの抜け止め機構の実施の形態を図
面に基づいて説明する。
図１は本発明の実施の形態に係るプラグの抜け止め具を模式的に示した分解斜視図であ
る。図２は実施の形態に係るプラグの抜け止め具を構成する筒状本体を模式的に示した図
であり、（ａ）は平面図、（ｂ）は正面図、（ｃ）は側面図、（ｄ）は背面図、（ｅ）は
、（ｃ）におけるＥ−Ｅ線断面図である。また、図３は実施の形態に係るプラグの抜け止
め具を構成するカバー体を模式的に示した図であり、（ａ）は平面図、（ｂ）は正面図、
（ｃ）、（ｄ）は側面図、（ｅ）は背面図、（ｆ）は底面図である。
【００３６】
図中１０はプラグの抜け止め具を示しており、プラグの抜け止め具１０は、ＵＳＢプラ
グ（図示せず）を上下２段に重ねて挿入可能な筒状本体１１と、筒状本体１１の前部開口
面側に連結されるカバー体２１、３１とを含んで構成されている。
【００３７】
筒状本体１１は、厚さ０．８〜１．０ミリ程度の合成樹脂（例えば、ポリプロピレンや
ナイロン等の合成樹脂）で形成されており、また、カバー体２１、３１も筒状本体１１と
同様な合成樹脂で形成されている。
【００３８】
カバー体２１、３１は、ＵＳＢプラグの背面部（すなわちＵＳＢケーブル側）を支持す
る支持部２２、３２と、支持部２２、３２の両側面から筒状本体１１側に向けて（図中Ａ
方向へ）略平行に延設された連結片２３、３３とから構成されている。支持部２２、３２
の正面視中央部分には、ＵＳＢケーブルを引き出すための略半円弧状のコード挿通部２４
、３４が形成されており、支持部２２、３２の両側面には、突起片２５、３５が形成され
ている。また、連結片２３、３３の各外側面には、長手方向に横設された係止部２６、３
６が形成されている。
【００３９】
また、図３に示すように係止部２６は、長手方向と直角の幅方向に横設され、連結片２
３の外側面に対して略垂直な係止面２６ａと、係止面２６ａの先端から連結片２３の先端
側に向かって次第に低くなる傾斜面２６ｂとを有し、各係止部２６の間は短い薄肉部２７
となっており、各係止部２６の間隔（すなわち薄肉部２７の長さ）が、器機に差し込まれ
たＵＳＢプラグの遊び間隔よりも小さくなるように設定されている。また、係止部２６が
形成されている連結片２３の外側面の片側端部には、係止面２６ａの先端と略同じ高さの
ガイドリブ２８が形成されている。なお、カバー体３１の係止部３６も同じ構造となって
いる。
【００４０】
筒状本体１１には、第１の対向面（この場合、上下の面）の各後端部から器機側に係止
される第１の係止片１２、１２が延設されており、その内側面が後方外側に向かって傾斜
しており、また、その先端部には爪部１３、１３が形成され、爪部１３、１３の内角θが
鋭角に形成されている。
【００４１】
第１の係止片１２、１２は、合成樹脂からなる筒状本体１１の撓みに伴って、上下方向
に振れるように形成されており、ＵＳＢプラグが接続される器機側にワンタッチで係止さ
れ得るようになっている。
【００４２】
また、筒状本体１１の第２の対向面（この場合、左右の面）には、カバー体２１、３１
の引き抜き方向（図中Ｂ方向）への動きを規制するように連結片２３、３３の係止部２６
、３６を係止させる係止手段１４Ａ、１４Ｂが上下２段に形成されている。
【００４３】
係止手段１４Ａ、１４Ｂは、連結片２３、３３を挿通させる孔を有する挿通部１５Ａ、
１５Ｂと、挿通部１５Ａ、１５Ｂから連結片２３、３３の挿入方向（図中Ａ方向）に延設
され、挿通部１５Ａ、１５Ｂへの連結片２３、３３の挿入（Ａ方向への動き）を許容する
一方、連結片２３、３３の引き抜き方向（Ｂ方向）への動きを規制する爪部１６Ａ、１６
Ｂを内側に有する第２の係止片１７Ａ、１７Ｂとを含んで構成されている。
【００４４】
また、第２の係止片１７Ａ、１７Ｂの先端部１８Ａ、１８Ｂは、挿通部１５Ａ、１５Ｂ
の筒状本体１１からの張り出し高さよりも高くなるように、第２の係止片１７Ａ、１７Ｂ
の途中から後方外側に向けて傾斜している。また、挿通部１５Ａ、１５Ｂが形成された筒
状本体１１の側面には、挿通部１５Ａ、１５Ｂの横幅に平行して細幅の壁部１９Ａ、１９
Ｂが延設されており、壁部１９Ａ、１９Ｂにより挿通部１５Ａ、１５Ｂに挿入されたカバ
ー体２１、３１の連結片２３、３３の幅方向の動きが規制されるようになっている。
【００４５】
また、筒状本体１１の第１の係止片１２が延設されている面（上下の面）は、その厚さ
が、前部よりも後部（すなわち第１の係止片１２の根元側）の方がやや薄くなるように、
すなわち、筒状本体１１の後部側が撓み易いように形成されている。
【００４６】
次に、実施の形態に係るプラグの抜け止め具１０を使用してＵＳＢプラグを器機側に抜
け止め状態に係止する機構について説明する。
図４−１は、実施の形態に係るプラグの抜け止め具１０を器機側に係止させる前の状態
のＵＳＢコネクタ周辺部分を示す斜視図、図４−２は、プラグの抜け止め具１０の筒状本
体１１を器機側に係止させた状態のＵＳＢコネクタ周辺部分を示す斜視図、図４−３は、
プラグの抜け止め具１０の筒状本体１１を器機側に係止させた後、ＵＳＢプラグをＵＳＢ
コネクタに差し込んだ状態のＵＳＢコネクタ周辺部分を示す斜視図、図４−４は、プラグ
の抜け止め具１０の筒状本体１１を器機側に係止させ、ＵＳＢプラグをＵＳＢコネクタに
差し込んだ後、カバー体２１、３１を筒状本体１１に係止させた状態のＵＳＢコネクタ周
辺部分を示す斜視図である。また、図５は、図４−４におけるＶ−Ｖ線断面図である。
【００４７】
図中４０は、ＵＳＢブラグが接続される器機を示しており、器機４０の筐体４１には、
上下２段に重ねられたＵＳＢコネクタ５１を臨ませる位置に、ＵＳＢプラグを差し込むた
めの開口部４２が形成されている。開口部４２の上下中央部分には切り欠き形状をした挿
入部４３、４３が形成されており、挿入部４３、４３には、プラグ抜け止め具１０を構成
する筒状本体１１の第１の係止片１２、１２が挿入されるようになっている。また、開口
部４２の各挿入部４３の内側には、第１の係止片１２の爪部１３を係止させるための引っ
掛け部５２がそれぞれ配設されている。
【００４８】
なお、器機４０として、例えば、ＨＭＩ（Human Machine Interface ）器機としてのプ
ログラマブル表示器が特に好適に実施される。このプログラマブル表示器は、ドット表示
画面、操作入力スイッチ、ＰＬＣとのインターフェース、画面上での操作入力のような制
御のためのプログラムメモリを備えた操作表示器である。一般に、プログラマブル表示器
は、グラフィック表示を行うので、操作盤、スイッチ、表示灯などの機能を備えることが
できる他、デバイスの稼働状況や作業指示のような管理のための各種モニタ、デバイスに
対する設定値を入力する端末としての機能を備えており、幅広い用途で活用されている。
【００４９】
まず、ＵＳＢプラグをＵＳＢコネクタ５１に差し込む前に、プラグの抜け止め具１０を
構成する筒状本体１１を器機４０に取り付ける。筒状本体１１を器機４０に取り付ける際
には、第１の係止片１２が延設された面（上下の面）の後部（すなわち、第１の係止片１
２の根元部分）を、親指と人差し指とで挟み、軽く押し込んで内側に撓ませた状態のまま
、第１の係止片１２を挿入部４３に挿入し、筒状本体１１の後端部を開口部４２に当接さ
せた後、親指と人差し指とによる押し込みを解除すると、筒状本体１１の後端部の所定箇
所が筐体４１に当接された状態で、第１の係止片１２の爪部１３が引っ掛け部５２にそれ
ぞれ係止されるようになっている（図４−２に示した状態）。この取付けは、ドライバ等
の工具を用いることなくワンタッチで極めて簡単に行えるようになっている。
【００５０】
そして、器機４０にプラグの抜け止め具１０の筒状本体１１を係止させた後（図４−２
参照）、ＵＳＢプラグ６０Ａ、６０Ｂを筒状本体１１の前部開口面側から挿入して器機４
０のＵＳＢコネクタ５１に差し込む（図４−３参照）。次に、ＵＳＢプラグ６０Ａ、６０
Ｂが差し込まれた状態で、プラグの抜け止め具１０の筒状本体１１にカバー体２１、３１
を挿着する。すなわち、カバー体２１、３１の連結片２３、３３の先端部を筒状本体１１
の挿通部１５Ａ、１５Ｂにそれぞれ差し込み、そのままカバー体２１、３１の支持部２２
、３２をＵＳＢプラグ６０Ａ、６０Ｂの挿入方向（Ａ方向）へそれぞれ押し込む。このと
き、連結片２３、３３に形成された各係止部２６、３６の傾斜面により第２の係止片１７
Ａ、１７Ｂの爪部１６Ａ、１６Ｂの傾斜面が押圧され、第２の係止片１７Ａ、１７Ｂが外
側へ弾性変形により逃げることにより、連結片２３、３３が挿入され、ＵＳＢプラグ６０
Ａ、６０Ｂの各背面部に当接するまで、ワンタッチで押し込めるようになっている。
【００５１】
なお、カバー体２１、３１の支持部２２、３２をＵＳＢプラグ６０Ａ、６０Ｂの背面部
に当接させた状態からＵＳＢプラグ６０Ａ、６０Ｂの引き抜き方向（Ｂ方向）に力が作用
した場合には、第２の係止片１７Ａ、１７Ｂの爪部１６Ａ、１６Ｂと、連結片２３、３３
の係止部２６、３６の係止面とが抜け止め状態に係止されるようになっている。
【００５２】
また、プラグの抜け止め具１０を使用してＵＳＢプラグ６０Ａ、６０Ｂを器機４０のＵ
ＳＢコネクタ５１に差し込んだ状態では、プラグの抜け止め具１０を構成する筒状本体１
１の第１の係止片１２が、器機４０の引っ掛け部５２にしっかりと係止されている。すな
わち、第１の係止片１２が引っ掛け部５２に係止された状態で、第１の係止片１２から引
っ掛け部５２に、引っ掛け部５２を押し広げようとする押圧力（図５における矢印Ｃ方向
の力）が作用するように、引っ掛け部５２の配設位置が設定されており、第１の係止片１
２が引っ掛け部５２に食い込んだ状態となっている。
【００５３】
また、筒状本体１１の第１の係止片１２の爪部１３は、その内角が鋭角に形成されてお
り、第１の係止片１２の爪部１３が係止される引っ掛け部５２の係止面５２ａが、プラグ
の差し込み方向に対して略垂直に配設されているので（図５参照）、筒状本体１１にＵＳ
Ｂプラグ６０Ａ、６０Ｂの引き抜き方向の力が作用しても、爪部１３と引っ掛け部５２と
の係止状態が解除されにくい構造となっている。
【００５４】
また、プラグの抜け止め具１０の筒状本体１１に抜け止め状態に係止されたカバー体２
１、３１が、ＵＳＢプラグ６０Ａ、６０Ｂの背面部を支持するようになっており、ＵＳＢ
プラグ６０Ａ、６０Ｂに、余程大きな引き抜き方向の力が作用しない限り、カバー体２１
、３１と筒状本体１１との係止状態が解除されることはなく、すなわちＵＳＢプラグ６０
Ａ、６０ＢがＵＳＢコネクタ５１から外れることはなく、データの転送等に支障を生じさ
せることがほとんどない。
【００５５】
またＵＳＢプラグ６０Ａ、６０ＢをＵＳＢコネクタ５１から外す際は、まず、プラグの
抜け止め具１０の筒状本体１１の第２の係止片１７Ａ、１７Ｂの先端部１８Ａ、１８Ｂを
指等により軽く外側に押し広げて、連結片２３、３３の係止部２６、３６と、第２の係止
片１７Ａ、１７Ｂの爪部１６Ａ、１６Ｂとの係止状態を解除させて、カバー体２１、３１
をそれぞれ引き抜いた後、ＵＳＢプラグ６０Ａ、６０Ｂを引き抜くことができるようにな
っている。また、筒状本体１１は、ＵＳＢプラグ６０Ａ、６０ＢをＵＳＢコネクタ５１か
ら引き抜いた後、筒状本体１１の第１の係止片１２が延設された面（上下の面）の後部（
すなわち、第１の係止片１２の根元部分）を、親指と人差し指とで挟み、軽く押し込んで
内側に撓ませた状態で引き抜くことができ、筒状本体１１の取り外しもドライバ等の工具
を用いることなくワンタッチで極めて簡単に行えるようになっている。
【００５６】
上記した実施の形態に係るプラグの抜け止め具１０によれば、筒状本体１１の第１の対
向面の各後端部から延設された第１の係止片１２を用いて、筒状本体１１をＵＳＢプラグ
６０Ａ、６０Ｂが接続される器機４０にしっかりと取付けることができる。しかも筒状本
体１１による撓みを利用することで、器機４０への取付け、取外しを手間取ることなくワ
ンタッチで簡単に行うことが可能となる。また、カバー体２１、３１をＵＳＢプラグ６０
Ａ、６０Ｂの長さに合わせてその背面部を支持するように、筒状本体１１にワンタッチで
簡単に取付けることができ、適用プラグ寸法に幅を持たせることができ、汎用性が高いも
のとすることができる。しかも、カバー体２１、３１の連結片２３、３３の係止部２６、
３６と、筒状本体１１の係止手段１４Ａ、１４Ｂとが、カバー体２１、３１の引き抜き方
向への動きを規制するように係止され、カバー体２１、３１が筒状本体１１から外れにく
い構造となっているので、ＵＳＢプラグ６０Ａ、６０Ｂの抜け止め効果を高めることがで
きる。
【００５７】
また、筒状本体１１の第１の係止片１２の内側面が後方外側に向かって傾斜しているの
で、筒状本体１１の器機４０への取付け、取外しを行う際に、筒状本体１１の第１の対向
面を挟み込んで、筒状本体１１を撓ませたとしても、第１の係止片１２がＵＳＢコネクタ
５１に干渉するのを防ぐことができ、筒状本体１１の器機４０への取付け、取外しを一層
容易に行うことができる。
【００５８】
また、連結片２３、３３の係止部２６、３６と第２の係止片１７Ａ、１７Ｂの爪部１６
Ａ、１６Ｂとにより、挿通部１５Ａ、１５Ｂへの連結片２３、３３の挿入は許容される一
方、連結片２３、３３の引き抜き方向への動きが規制されるように係止されるので、ＵＳ
Ｂプラグ６０Ａ、６０Ｂの長さに応じて該プラグの抜け止め位置を簡単に調整でき、かつ
ＵＳＢプラグ６０Ａ、６０Ｂの抜け止め効果が高いものとすることができる。
【００５９】
また、連結片２３、３３に横設された各係止部２６、３６の間隔が、器機４０に差し込
まれたＵＳＢプラグ６０Ａ、６０Ｂの遊び間隔よりも小さくなっているので、ＵＳＢプラ
グ６０Ａ、６０Ｂを引き抜く方向へ力が作用した場合でも、カバー体２１、３１がＵＳＢ
プラグ６０Ａ、６０Ｂの遊び間隔以上、引き抜き方向へ動くことを阻止することができ、
ＵＳＢプラグ６０Ａ、６０ＢとＵＳＢコネクタ５１との接続状態の信頼性を高めることが
できる。
【００６０】
また、第２の係止片１７Ａ、１７Ｂの先端部１８Ａ、１８Ｂが、挿通部１５Ａ、１５Ｂ
の筒状本体１１からの張り出し高さよりも高くなるように形成されているので、第２の係
止片１７Ａ、１７Ｂの先端部１８Ａ、１８Ｂに指先等が引っ掛け易くなっており、第２の
係止片１７Ａ、１７Ｂを、爪部１６Ａ、１６Ｂと連結片２３、３３との係止状態を解除さ
せるための係止解除片としての機能を兼ね備えたものとすることができ、筒状本体１１に
係止されたカバー体２１、３１を筒状本体１１から容易に脱離させることができる。
【００６１】
また、挿通部１５Ａ、１５Ｂが形成された筒状本体１１の側面に形成された壁部１９Ａ
、１９Ｂにより挿通部１５Ａ、１５Ｂから挿入された連結片２３、３３の幅方向の動きが
規制されるので、連結片２３、３３と第２の係止片１７Ａ、１７Ｂとの係合状態をより安
定した強固なものにすることができる。
【００６２】
また、筒状本体１１の第１の係止片１２に形成された爪部１３の内角θが鋭角に形成さ
れており、また第１の係止片１２の爪部１３が係止される引っ掛け部５２の係止面５２ａ
が、プラグの差し込み方向に対して略垂直となるように配設されているので、第１の係止
片１２の爪部１３を器機４０の引っ掛け部５２に係止させた際に、筒状本体１１にＵＳＢ
プラグ６０Ａ、６０Ｂの引き抜き方向への力が作用した場合でも、第１の係止片１２の爪
部１３を引っ掛け部５２に強固に係止させることができ、第１の係止片１２の爪部１３が
器機４０から外れにくいようにする効果を高め、筒状本体１１と器機４０側との係止状態
を確実に保持する効果を高めることができる。
【００６３】
また、カバー体２１、３１に形成された突起片２５、３５により、カバー体２１、３１
をしっかりと指先等で挟むことができ、カバー体２１、３１の筒状本体１１への取付け、
取外しを一層容易に行うことができる。
【００６４】
また、筒状本体１１の前記第２の対向面が、２個のプラグを重ねて挿入可能な高さに形
成され、前記第２の対向面の各外側面に、２個のプラグに対応した数の係止手段１４Ａ、
、１４Ｂを備え、筒状本体１１の前部開口面側に２個のプラグに対応した数のカバー体２
１、３１が連結されているので、２個以下のプラグであれば、一つの筒状本体１１で各プ
ラグの抜け止めを行うことができ、一つの筒状本体１１で、配列数が異なるのプラグのコ
ネクタに対応させることができる。
【００６５】
また、筒状本体１１の後端部の所定箇所を筐体４１に当接させた状態で、第１の係止片
１２が引っ掛け部５２に係止されているので、筒状本体１１を器機４０側にしっかりと安
定した状態となるように取付けることができ、しかも筒状本体１１の器機４０側への取付
け、取外しを手間取ることなくワンタッチで簡単に行うことができる。
【００６６】
また、第１の係止片１２を引っ掛け部５２に係止させた際に、第１の係止片１２から引
っ掛け部５２に押圧力が作用するので、第１の係止片１２を引っ掛け部５２に食い込ませ
ることができ、器機４０に取り付けられた筒状本体１１の取付け安定性を高めることがで
きるとともに、第１の係止片１２と引っ掛け部５２との係止状態をより強固なものにする
ことができる。
【００６７】
なお、上記実施の形態の場合、ＵＳＢコネクタ５１が上下２段の場合を例に挙げて説明
したが、このプラグ抜け止め具１０を、ＵＳＢコネクタ５１が１段のものにも適用するこ
とができ、この場合、器機４０の筐体４１に形成されたＵＳＢコネクタの開口部（１段用
）に、筒状本体１１の一方の第１の係止片１２を挿入する挿入部を形成し、他方の第１の
第１の係止片１２を挿入する挿入部（挿入孔）を対応する位置に形成するようにすれば良
い。なお引っ掛け部５２は、筐体４１と一体形成されたものであってもよい。また、器機
４０側にＵＳＢコネクタ５１が上下３段以上に配置されたものであっても、筒状本体１１
の第２の対向面の高さ調整を行い、コネクタ５１の段数に対応した係止手段とカバー体と
を取り付けることで本発明を適用することができる。
【図面の簡単な説明】
【００６８】
【図１】本発明の実施の形態に係るプラグの抜け止め具を模式的に示した分解斜視図である。
【図２】実施の形態に係るプラグの抜け止め具を構成する筒状本体を模式的に示した図であり、（ａ）は平面図、（ｂ）は正面図、（ｃ）は側面図、（ｄ）は背面図、（ｅ）は、（ｃ）におけるＥ−Ｅ線断面図である。
【図３】実施の形態に係るプラグの抜け止め具を構成するカバー体を模式的に示した図であり、（ａ）は平面図、（ｂ）は正面図、（ｃ）、（ｄ）は側面図、（ｅ）は背面図、（ｆ）は底面図である。
【図４−１】実施の形態に係るプラグの抜け止め具を器機側に係止させる前の状態のＵＳＢコネクタ周辺部分を示す斜視図である。
【図４−２】実施の形態に係るプラグの抜け止め具（筒状本体）を器機側に係止させた状態のＵＳＢコネクタ周辺部分を示す斜視図である。
【図４−３】実施の形態に係るプラグの抜け止め具（筒状本体）を器機側に係止させた後、ＵＳＢプラグをＵＳＢコネクタに差し込んだ状態のＵＳＢコネクタ周辺部分を示す斜視図である。
【図４−４】実施の形態に係るプラグの抜け止め具（筒状本体）を器機側に係止させ、ＵＳＢプラグをＵＳＢコネクタに差し込んだ後、カバー体を係止させた状態のＵＳＢコネクタ周辺部分を示す斜視図である。
【図５】図４−４におけるＶ−Ｖ線断面図である。
【図６】従来のプラグの抜け止め具の一例としての特許文献１に記載のプラグの抜け止めカバ−を示すもので、プラグを器機側に差し込んだ状態のプラグの周辺部分を示す斜視図である。
【図７】従来のプラグの抜け止め具の他の一例としての特許文献２に記載のプラグの抜け止め具を示した斜視図である。
【図８】特許文献２に記載のプラグの抜け止め具を使用してＵＳＢプラグを器機側のＵＳＢコネクタに差し込んだ状態を示す部分断面側面図である。
【符号の説明】
【００６９】
１０  プラグの抜け止め具
１１  筒状本体
１２  第１の係止片
１４Ａ、１４Ｂ  係止手段
２１、３１  カバー体
２２、３２  支持部
２３、３３  連結片
２６、３６  係止部
【図１】
2006202630.tif 000003
【図２】
2006202630.tif 000004
【図３】
2006202630.tif 000005
【図４−１】
2006202630.tif 000006
【図４−２】
2006202630.tif 000007
【図４−３】
2006202630.tif 000008
【図４−４】
2006202630.tif 000009
【図５】
2006202630.tif 000010
【図６】
2006202630.tif 000011
【図７】
2006202630.tif 000012
【図８】
2006202630.tif 000013